(57)【要約】【課題】エアジェット織機による製織時のＸ線造影糸の伸びや切れを抑制して、円滑な製織を可能にする医療用ガーゼの製織方法及び医療用ガーゼを提供する。【解決手段】互いに交差する複数の経糸３及び緯糸５からなるガーゼ本体６に、経糸としてＸ線造影糸７が織り込まれている。Ｘ線造影糸７は、Ｘ線不透過性のＸ線造影糸本体７Ａを補助糸９で被覆したものである。このように、Ｘ線造影糸本体７Ａを補助糸９で被覆することで、Ｘ線造影糸７の引張強度を高めることができる。このため、エアジェット織機を用いて医療用ガーゼ１を製織した場合、一対の綜絖の上下運動によって、Ｘ線造影糸７が引張られても補助糸９によりＸ線造影糸７の伸びや切れを抑制することができる。このため、エアジェット織機を用いても医療用ガーゼ１を円滑に製織することができる。【選択図】図１
2018057587.tif 000002
【特許請求の範囲】
【請求項１】
互いに交差する複数の経糸及び緯糸を構成糸とするガーゼ本体に、少なくとも１本の経糸としてＸ線造影糸が織込まれた医療用ガーゼの製織方法において、
Ｘ線不透過性のＸ線造影糸本体を補助糸で被覆して、前記Ｘ線造影糸を形成し、
エアジェット織機によって、前記ガーゼ本体を製織する際、前記補助糸で被覆された前記Ｘ線造影糸を前記複数の経糸の一部として織り込むことを特徴とする医療用ガーゼの製織方法。
【請求項２】
４本乃至１６本の前記補助糸で前記Ｘ線造影糸本体を被覆することを特徴とする請求項１に記載の医療用ガーゼの製織方法。
【請求項３】
前記補助糸は、組紐状に編み込んで、前記Ｘ線造影糸本体を被覆することを特徴とする請求項１又は２に記載の医療用ガーゼの製織方法。
【請求項４】
前記構成糸及び前記補助糸は、綿糸であることを特徴とする請求項１乃至３のいずれか１項に記載の医療用ガーゼの製織方法。
【請求項５】
互いに交差する複数の経糸及び緯糸を構成糸とするガーゼ本体に、少なくとも１本の経糸としてＸ線造影糸が織込まれた医療用ガーゼにおいて、
前記Ｘ線造影糸は、Ｘ線不透過性のＸ線造影糸本体が補助糸で被覆されて、強度が高められていることを特徴とする医療用ガーゼ。
【請求項６】
前記Ｘ線造影糸本体は、４本乃至１６本の前記補助糸で被覆されていることを特徴とする請求項５に記載の医療用ガーゼ。
【請求項７】
前記補助糸は、組紐状に編み込まれて、前記Ｘ線造影糸本体を被覆することを特徴とする請求項５又は６に記載の医療用ガーゼ。
【請求項８】
前記構成糸及び前記補助糸は、綿糸であることを特徴とする請求項５乃至７のいずれか１項に記載の医療用ガーゼ。
【発明の詳細な説明】
【技術分野】
【０００１】
本発明は、補助糸で被覆されたＸ線造影糸を織り込んだ医療用ガーゼの製織方法及び医療用ガーゼに関するものである。
【背景技術】
【０００２】
医療用ガーゼは、手術等において、患者の体内で使用される場合、血液、体液等を吸収して、臓器、組織との区別がつきにくくなるため、体内に取り残さないように細心の注意が払われる。また、一般的にガーゼの繊維は、Ｘ線画像に写らないため、術後、体内に取り残されたガーゼの有無を確認することは困難であった。
【０００３】
そこで、従来、ガーゼに１本以上のＸ線造影糸を織り込み、術後、Ｘ線撮影により、ガーゼの取り残しを容易に確認できるようにした医療用ガーゼが種々提案されている（例えば、特許文献１参照）。また、Ｘ線造影糸を織り込んだ医療用ガーゼをエアジェット織機を用いて製織することが特許文献２に記載されている。
【先行技術文献】
【特許文献】
【０００４】
【特許文献１】特開２００４−１９４９９４号公報
【特許文献２】特開２０１５−０９６１３５号公報
【発明の概要】
【発明が解決しようとする課題】
【０００５】
しかしながら、Ｘ線造影糸を織り込んだ医療用ガーゼを実際にエアジェット織機によって製織しようとした場合、次のような問題がある。エアジェット織機では、製織する際、経糸が弛んでいると、綜絖の上下運動による、緯糸を通す開口の形成が遅れるので、経糸には、弛まないように張力がかけられている。このため、ポリプロピレン樹脂、スチレン系熱可塑性エラストマー等の合成樹脂からなるＸ線造影糸を経糸の一部として構成糸に織り込もうとした場合、Ｘ線造影糸が綜絖の上下運動に伴う強い張力によって、伸びたり、切れたりして、円滑に製織することが困難となる。
【０００６】
本発明は、上記の点に鑑みてなされたものであり、エアジェット織機による製織時のＸ線造影糸の伸びや切れを抑制して、円滑な製織を可能にする医療用ガーゼの製織方法及び医療用ガーゼを提供することを目的とする。
【課題を解決するための手段】
【０００７】
上記の課題を解決するために、請求項１に係る医療用ガーゼの製織方法は、互いに交差する複数の経糸及び緯糸を構成糸とするガーゼ本体に、少なくとも１本の経糸としてＸ線造影糸が織込まれた医療用ガーゼの製織方法において、
Ｘ線不透過性のＸ線造影糸本体を補助糸で被覆して、前記Ｘ線造影糸を形成し、
エアジェット織機によって、前記ガーゼ本体を製織する際、前記補助糸で被覆された前記Ｘ線造影糸を前記複数の経糸の一部として織り込むことを特徴とする。
請求項２に係る医療用ガーゼの製織方法は、上記請求項１の構成において、４本乃至１６本の前記補助糸で前記Ｘ線造影糸本体を被覆することを特徴とする。
請求項３に係る医療用ガーゼの製織方法は、上記請求項１又は２の構成において、前記補助糸は、組紐状に編み込んで、前記Ｘ線造影糸本体を被覆することを特徴とする。
請求項４に係る医療用ガーゼの製織方法は、上記請求項１乃至３のいずれか１項の構成において、前記構成糸及び前記補助糸は、綿糸であることを特徴とする。
請求項５に係る医療用ガーゼは、互いに交差する複数の経糸及び緯糸を構成糸とするガーゼ本体に、少なくとも１本の経糸としてＸ線造影糸が織込まれた医療用ガーゼにおいて、
前記Ｘ線造影糸は、Ｘ線不透過性のＸ線造影糸本体が補助糸で被覆されて、強度が高められていることを特徴とする。
請求項６に係る医療用ガーゼは、上記請求項５の構成において、前記Ｘ線造影糸本体は、４本乃至１６本の前記補助糸で被覆されていることを特徴とする。
請求項７に係る医療用ガーゼは、上記請求項５又は６の構成において、前記補助糸は、組紐状に編み込まれて、前記Ｘ線造影糸本体を被覆することを特徴とする。
請求項８に係る医療用ガーゼは、上記請求項５乃至７のいずれか１項の構成において、前記構成糸及び前記補助糸は、綿糸であることを特徴とする。
【発明の効果】
【０００８】
上記請求項１及び５に係る発明によれば、Ｘ線造影糸本体を補助糸で被覆することで、Ｘ線造影糸の強度を高めることができる。これにより、綜絖の上下運動によるＸ線造影糸の伸びや切れを抑制することができ、エアジェット織機によって円滑に製織することができる。
上記請求項２及び６に係る発明によれば、Ｘ線造影糸本体を４乃至１６本の補助糸で被覆することで、必要な強度を得ることができる。
上記請求項３及び７に係る発明によれば、補助糸を組紐状に編み込むことで、補助糸をＸ線造影糸本体に安定して保持することができる。
上記請求項４及び８に係る発明によれば、ガーゼ本体及び補助糸を綿糸にすることにより、補助糸がガーゼ本体の材料特性に影響を及ぼすことがない。
【図面の簡単な説明】
【０００９】
【図１】本発明の一実施形態に係る医療用ガーゼの概略図である。
【図２】図１に示すＸ線造影糸の部分拡大図であり、（ａ）は、４本の補助糸でＸ線造影糸本体を被覆した状態のＸ線造影糸を示す図であり、（ｂ）は、１６本の補助糸でＸ線造影糸本体を被覆した状態のＸ線造影糸を示す図である。
【図３】補助糸でＸ線造影糸本体を被覆するための被覆装置の概略斜視図である。
【図４】医療用ガーゼを製織するエアジェット織機の要部の概略斜視図である。
【図５】図４に示すエアジェット織機によって製織された医療用ガーゼの連続体の部分概略図である。
【発明を実施するための形態】
【００１０】
以下、本発明の一実施形態に係る医療用ガーゼを図１、図２及び図５に基づいて詳細に説明する。
本発明の医療用ガーゼ１は、例えば、治療、外科手術等の医療行為に用いられ、体液や血液などを吸収させるために使用することができるものである。
図１及び図２に示すように、医療用ガーゼ１は、複数の経糸３と、複数の緯糸５と、Ｘ線造影糸７と、で構成されている。複数の経糸３及び緯糸５は、医療用ガーゼ１のガーゼ本体６の構成糸として、交互に交差するように平織りされており、Ｘ線造影糸７は、経糸としてガーゼ本体６に織り込まれている。
【００１１】
経糸３及び緯糸５は、略一定の間隔をもって交互に交差するように織り込まれており、その間隔は、任意であり、適宜変更することができる。経糸３及び緯糸５は、一例として太さ４０番手の綿糸を採用しているが、任意の太さとすることができ、また、綿糸に限らず、例えば、セルロース繊維、合成繊維、それらの混合体等の任意の材料を用いたものとすることができる。
【００１２】
経糸３の両端側（図１において上下両側）には、平織りした他の部分よりも緯糸５の間隔を密に織り込んだ緯糸密織り部１１，１１が形成されている。また、緯糸５の両端側（図１において左右両側）には、平織りした他の部分よりも経糸３の間隔を密に織り込んだ経糸密織り部１３，１３が形成されている。
【００１３】
医療用ガーゼ１は、図５に示すように、縦横に連続して織られており、隣接する医療用ガーゼ１の緯糸密織り部１１，１１間、及び、経糸密織り部１３，１３間に経糸３及び緯糸５の間隔を疎にした部分１１Ａ，１３Ａが形成されている。この部分１１Ａ，１３Ａを裁断することで（図５の二点鎖線参照）、複数の医療用ガーゼ１が得られる。
【００１４】
Ｘ線造影糸７は、他の経糸３と同様に複数の緯糸５と表裏交互に交差するように織り込まれている（図２参照）。また、Ｘ線造影糸７は、Ｘ線不透過性のＸ線造影糸本体７Ａを後述する補助糸９で被覆したものである。Ｘ線造影糸本体７Ａの材料としては、例えば、硫酸バリウム等のＸ線非透過性物質を含有する合成樹脂などを採用することができる。合成樹脂としては、例えば、シリコン系樹脂、ポリ塩化ビニル樹脂、ポリプロピレン樹脂、ポリエステル樹脂、ポリエチレン樹脂、スチレン系熱可塑性エラストマーなどを採用することができる。また、Ｘ線造影糸本体７Ａの太さは、経糸３、緯糸５及び補助糸９と比較して太い。本実施形態では、Ｘ線造影糸本体７Ａは、モノフィラメント構造であるが、マルチフィラメント構造としてもよい。
【００１５】
補助糸９は、図２（ａ）に示すように、４本の糸からなり、Ｘ線造影糸本体７Ａの周囲に組紐状に編み込まれて、Ｘ線造影糸本体７Ａを被覆している。また、補助糸９は、ガーゼ本体６の構成糸である経糸３及び緯糸５と同じ材料からなる。なお、補助糸９は、経糸３及び緯糸５と同じものに限らず、例えば、異なる材料、異なる糸番手の綿糸、双糸などを採用して、Ｘ線造影糸本体７Ａに被覆することができる。このように、Ｘ線造影糸本体７Ａを補助糸９で被覆することにより、Ｘ線造影糸７の引張強度を高めることができる。
【００１６】
ここで、一例として、被覆装置３１を用いて、４本の補助糸９をＸ線造影糸本体７Ａの周囲に組紐状に編み込んで、Ｘ線造影糸７を製造する方法について、図３を参照して説明する。
まず、Ｘ線造影糸本体７Ａを上方に移動可能に被覆装置３１の中央にセットする。そして、補助糸９を巻いた４つのボビン３３を、ガイドレール３７に設置された４つの可動部３５にそれぞれ取付ける。ガイドレール３７は、Ｘ線造影糸本体７Ａを取り囲み、Ｘ線造影糸本体７Ａを取り囲んだ部分で互いに交差する２つの略楕円軌道に沿って設けられ、ボビン３３は、各ガイドレール３７に２つずつ設けられている。そして、４本の補助糸９をＸ線造影糸本体７Ａとの編込み場所までボビン３３のそれぞれから引き出す。その後、Ｘ線造影糸本体７Ａを上方に送りながら、４つの可動部３５をガイドレール３７に沿って移動させて（図３の矢印参照）、４本の補助糸９を組紐状に編み込んでＸ線造影糸本体７Ａを被覆する。これにより、４本の補助糸９でＸ線造影糸本体７Ａを被覆して、Ｘ線造影糸７を製造することができる（図２（ａ）参照）。
【００１７】
次に、エアジェット織機２１を用いて医療用ガーゼ１を製織する方法について、図４及び図５を参照して説明する。
まず、被覆装置３１を用いてＸ線造影糸本体７Ａの周囲に補助糸９を組紐状に編み込んで、Ｘ線造影糸本体７Ａを被覆して、Ｘ線造影糸７を製造する（図３参照）。そして、複数の経糸３と、経糸の一部としたＸ線造影糸７と、を一対の綜絖２３，２３に通し、経糸３及びＸ線造影糸７をエアジェット織機２１にセットする。そして、一対の綜絖２３，２３の上下運動によって、緯糸５を通すための開口２５を形成し、この開口２５にエアジェット織機２１のノズル２７から緯糸５を射出する。そして、射出された緯糸９の先端が所定の場所に達したとき、緯糸９を切断する。ここで、緯糸５は、一対の綜絖２３，２３の上下運動の度に射出する。このように、一対の綜絖２３，２３の上下運動を繰り返す度に、ノズル２７よって緯糸５を射出し、経糸３及びＸ線造影糸７に緯糸５を織り込み、医療用ガーゼ１の連続体１Ａを製織する（図５参照）。
【００１８】
このとき、Ｘ線造影糸本体７Ａは、４本の補助糸９で被覆されることで、Ｘ線造影糸７の引張強度が高められている。このため、エアジェット織機２１を用いて医療用ガーゼ１を製織した場合、一対の綜絖２３，２３の上下運動によって、Ｘ線造影糸７が引張られても補助糸９によりＸ線造影糸７の伸びや切れを抑制することができる。これにより、エアジェット織機２１を用いても医療用ガーゼ１を円滑に製織することができる。
【００１９】
このように、補助糸９が被覆されたＸ線造影糸７を織り込んだ医療用ガーゼ１をエアジェット織機２１で製織することで、縦横に連続して織られた医療用ガーゼ１の連続体１Ａを高速に製織することができる。そして、この連続体１Ａを適宜縦横に裁断することにより、複数のＸ線造影糸７が織り込まれた医療用ガーゼ１を作ることができ、生産効率を上げることができる。
【００２０】
また、Ｘ線造影糸本体７Ａは、補助糸９で被覆されているため、強度を高めると共に、経糸３及び緯糸５と絡み合って摩擦が増大して、抜け難くなっているので、医療用ガーゼ１の使用中、ピンセットで掴んでも抜け難く、千切れ難くなっている。更に、補助糸９は、組紐状に編み込むことで、Ｘ線造影糸本体７Ａに安定して保持されているので、医療用ガーゼ１を折り畳んだり、屈曲しても、ほつれ難くなっている
【００２１】
なお、上記実施形態において、Ｘ線造影糸７は、４本の補助糸９で被覆されているが（図２（ａ）参照）、例えば、１６本の補助糸９で被覆してもよく（図２（ｂ）参照）、補助糸９の本数は、主に強度上の観点から４本乃至１６本とするとよい。
【００２２】
また、上記実施形態において、補助糸９は、組紐状に編み込まれているが、螺旋状に編み込んでもよく、その他の態様で形成して、Ｘ線造影糸本体７Ａを被覆するようにしてもよい。
【００２３】
更に、上記実施形態において、補助糸９が被覆されたＸ線造影糸７は、ガーゼ本体６の一ヶ所のみに織り込まれているが、２ケ所以上に織り込んでもよく、その数及び配置は、適宜変更することができる。
【符号の説明】
【００２４】
１…医療用ガーゼ、３…経糸、５…緯糸、６…ガーゼ本体、７…Ｘ線造影糸、９…補助糸、２１…エアジェット織機
【図１】
2018057587.tif 000003
【図２】
2018057587.tif 000004
【図３】
2018057587.tif 000005
【図４】
2018057587.tif 000006
【図５】
2018057587.tif 000007
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
互いに交差する複数の経糸及び緯糸を構成糸とするガーゼ本体に、少なくとも１本の経糸としてＸ線造影糸が織込まれた医療用ガーゼの製織方法において、
Ｘ線不透過性のＸ線造影糸本体を補助糸で被覆して、引張強度を高めた前記Ｘ線造影糸を形成し、
エアジェット織機によって、前記ガーゼ本体を製織する際、前記複数の経糸に弛まないように張力を付与し、前記補助糸で被覆されて引張強度が高められた前記Ｘ線造影糸を張力が付与された前記複数の経糸の一部として織り込むことを特徴とする医療用ガーゼの製織方法。
【請求項２】
４本乃至１６本の前記補助糸で前記Ｘ線造影糸本体を被覆することを特徴とする請求項１に記載の医療用ガーゼの製織方法。
【請求項３】
前記補助糸は、組紐状に編み込んで、前記Ｘ線造影糸本体を被覆することを特徴とする請求項１又は２に記載の医療用ガーゼの製織方法。
【請求項４】
前記構成糸及び前記補助糸は、綿糸であることを特徴とする請求項１乃至３のいずれか１項に記載の医療用ガーゼの製織方法。
【手続補正２】
【補正対象書類名】明細書
【補正対象項目名】０００７
【補正方法】変更
【補正の内容】
【０００７】
上記の課題を解決するために、請求項１に係る医療用ガーゼの製織方法は、互いに交差する複数の経糸及び緯糸を構成糸とするガーゼ本体に、少なくとも１本の経糸としてＸ線造影糸が織込まれた医療用ガーゼの製織方法において、
Ｘ線不透過性のＸ線造影糸本体を補助糸で被覆して、引張強度を高めた前記Ｘ線造影糸を形成し、
エアジェット織機によって、前記ガーゼ本体を製織する際、前記複数の経糸に弛まないように張力を付与し、前記補助糸で被覆されて引張強度が高められた前記Ｘ線造影糸を張力が付与された前記複数の経糸の一部として織り込むことを特徴とする。
請求項２に係る医療用ガーゼの製織方法は、上記請求項１の構成において、４本乃至１６本の前記補助糸で前記Ｘ線造影糸本体を被覆することを特徴とする。
請求項３に係る医療用ガーゼの製織方法は、上記請求項１又は２の構成において、前記補助糸は、組紐状に編み込んで、前記Ｘ線造影糸本体を被覆することを特徴とする。
請求項４に係る医療用ガーゼの製織方法は、上記請求項１乃至３のいずれか１項の構成において、前記構成糸及び前記補助糸は、綿糸であることを特徴とする。
【手続補正３】
【補正対象書類名】明細書
【補正対象項目名】０００８
【補正方法】変更
【補正の内容】
【０００８】
上記請求項１に係る発明によれば、Ｘ線造影糸本体を補助糸で被覆することで、Ｘ線造影糸の強度を高めることができる。これにより、綜絖の上下運動によるＸ線造影糸の伸びや切れを抑制することができ、エアジェット織機によって円滑に製織することができる。
上記請求項２に係る発明によれば、Ｘ線造影糸本体を４乃至１６本の補助糸で被覆することで、必要な強度を得ることができる。
上記請求項３に係る発明によれば、補助糸を組紐状に編み込むことで、補助糸をＸ線造影糸本体に安定して保持することができる。
上記請求項４に係る発明によれば、ガーゼ本体及び補助糸を綿糸にすることにより、補助糸がガーゼ本体の材料特性に影響を及ぼすことがない。